(57)【要約】      （修正有）【課題】自動車に搭載される情報再生装置に関するもので、使い勝手を良くする。【解決手段】小さな情報媒体１８は挿入、引き抜き頻度が少ないものとして、通常状態では、蓋９で覆った状態としているので、不用意にこれを挿入口から引き抜くことはない。また、この小さな情報媒体を挿入口から引き抜いたり、その後に挿入口に挿入したりするときには、蓋が開放した状態となっているので、本体ケース５の下部と、開放状態の表示部４間の隙間１０部分は、この蓋で覆われた状態となっている。このため、情報媒体を誤ってそれを落下させても、下方の蓋で受けられているので、ここから情報媒体を容易に摘み上げることができ、極めて使い勝手の良いものとなる。【選択図】図４
2014127616.tif 000002
【特許請求の範囲】
【請求項１】
情報再生部を収納した本体ケースと、この本体ケースの前面下部において、その一辺側が前記本体ケースの前面下部に所定間隔の隙間を介して近接する状態で、この本体ケースの前面に対して、開閉駆動される表示部とを備え、前記表示部が開放された状態で、前記本体ケースの前面側に表出する部分に、前後方向に開閉自在な蓋を設け、この蓋は、その開放時に、前記本体ケースの前面下部と表示部間に形成される所定間隔の隙間を覆う形状にするとともに、この蓋には、この蓋の閉成時に、第１の情報媒体が貫通挿入される貫通孔を設け、この蓋が閉成された状態で、前記貫通孔に対応する本体ケースの前面部分には、前記第１の情報媒体が挿入される第１の挿入口を設け、この第１の挿入口の外周方向で、前記蓋の閉成時に、この蓋で覆われる本体ケースの前面部分には、第２の情報媒体が挿入される第２の挿入口を設け、前記第２の挿入口は、第１の挿入口よりも開口面積を小さくした情報再生装置。
【請求項２】
蓋の下部に開閉軸受を設け、この開閉軸受は、表示部の閉成時における、この表示部よりも奥側の本体ケース前面側に軸支した請求項１に記載の情報再生装置。
【請求項３】
本体ケースの前面側で、蓋閉成時における、この蓋の上方部分に、光ディスク挿入口を設けた請求項１または２に記載の情報再生装置。
【発明の詳細な説明】
【技術分野】
【０００１】
本発明は、例えば各種情報媒体の再生を行うことができる情報再生装置に関するものである。
【背景技術】
【０００２】
自動車に設けられるこの種の情報再生装置は、情報再生部を収納した本体ケースと、この本体ケースの前面下部において、その一辺側が前記本体ケースの前面下部に所定間隔の隙間を介して近接する状態で、この本体ケースの前面に対して、開閉駆動される表示部とを備えた構成となっている。
【０００３】
また、表示部が開放された状態では、情報媒体を挿入することができる挿入口が設けられている。
【０００４】
すなわち、この挿入口に情報媒体を挿入すれば、その情報媒体に格納された情報を、前記情報再生部において再生することができるようになっているのである。
【０００５】
近年、前記情報媒体として、指先でつまむ程度の極めて小さなものが実用化されているが、このように小さな情報媒体を指先でつまんで前記挿入口に挿入したり、あるいはそこから取り外したりするときに、誤って、前記本体ケースの前面下部と、開放状態の表示部の隙間に落下させてしまうことがある。
【０００６】
そこで、このような落下時でも、それを容易に摘み上げることができるように、前記隙間の下方に受け部を設け、落下した情報媒体をここで受けるようにしたものが提案されている（例えば特許文献１参照）。
【先行技術文献】
【特許文献】
【０００７】
【特許文献１】特開２０１１−２２５１８１号公報
【発明の概要】
【発明が解決しようとする課題】
【０００８】
上記従来例においては、落下した情報媒体が受け部で受けられ、そこに留まるので、そこから情報媒体を摘み上げることはできる。
【０００９】
しかしながら、情報媒体は極めて小さく、しかもそれが受けられている部分は、上述したとおり、本体ケースの下部と、開放状態の表示部間の隙間部分であり、そのような狭い部分から小さな情報媒体を摘み出すのは、極めて難しい作業となり、使い勝手が悪いものであった。
【００１０】
そこで、本発明は、使い勝手を良くすることを目的とするものである。
【課題を解決するための手段】
【００１１】
そしてこの目的を達成するために本発明は、情報再生部を収納した本体ケースと、この本体ケースの前面下部において、その一辺側が前記本体ケースの前面下部に所定間隔の隙間を介して近接する状態で、この本体ケースの前面に対して、開閉駆動される表示部とを備え、前記表示部が開放された状態で、前記本体ケースの前面側に表出する部分に、前後方向に開閉自在な蓋を設け、この蓋は、その開放時に、前記本体ケースの前面下部と表示
部間に形成される所定間隔の隙間を覆う形状にするとともに、この蓋には、この蓋の閉成時に、第１の情報媒体が貫通挿入される貫通孔を設け、この蓋が閉成された状態で、前記貫通孔に対応する本体ケースの前面部分には、前記第１の情報媒体が挿入される第１の挿入口を設け、この第１の挿入口の外周方向で、前記蓋の閉成時に、この蓋で覆われる本体ケースの前面部分には、第２の情報媒体が挿入される第２の挿入口を設け、前記第２の挿入口は、第１の挿入口よりも開口面積を小さくし、これにより所期の目的を達成するものである。
【発明の効果】
【００１２】
以上のように本発明は、情報再生部を収納した本体ケースと、この本体ケースの前面下部において、その一辺側が前記本体ケースの前面下部に所定間隔の隙間を介して近接する状態で、この本体ケースの前面に対して、開閉駆動される表示部とを備え、前記表示部が開放された状態で、前記本体ケースの前面側に表出する部分に、前後方向に開閉自在な蓋を設け、この蓋は、その開放時に、前記本体ケースの前面下部と表示部間に形成される所定間隔の隙間を覆う形状にするとともに、この蓋には、この蓋の閉成時に、第１の情報媒体が貫通挿入される貫通孔を設け、この蓋が閉成された状態で、前記貫通孔に対応する本体ケースの前面部分には、前記第１の情報媒体が挿入される第１の挿入口を設け、この第１の挿入口の外周方向で、前記蓋の閉成時に、この蓋で覆われる本体ケースの前面部分には、第２の情報媒体が挿入される第２の挿入口を設け、前記第２の挿入口は、第１の挿入口よりも開口面積を小さくしたものであるので、使い勝手の良いものとなる。
【００１３】
すなわち、本発明では、小さな情報媒体である第２の情報媒体は挿入、引き抜き頻度が少ないものとして、通常状態では、蓋で覆った状態としているので、不用意にこれを第２の挿入口から引き抜くことはない。
【００１４】
また、この小さな第２の情報媒体を第２の挿入口から引き抜いたり、その後に第２の挿入口に挿入したりするときには、蓋が開放した状態となっているので、本体ケースの下部と、開放状態の表示部間の隙間部分は、この蓋で覆われた状態となっている。
【００１５】
このため、このような、第２の情報媒体を第２の挿入口から引き抜いたり、その後に第２の挿入口に挿入したりするときに、誤ってそれを落下させても、下方の蓋で受けられているので、ここから第２の情報媒体を容易に摘み上げることができ、極めて使い勝手の良いものとなるのである。
【図面の簡単な説明】
【００１６】
【図１】本発明の一実施形態にかかる情報再生装置を自動車に搭載した状態を示す正面図
【図２】同、情報再生装置の表示部が開放した状態を示す正面図
【図３】同、情報再生装置の表示部と蓋が開放した状態を示す正面図
【図４】同、情報再生装置の表示部と蓋が開放した状態を示す断面図
【図５】同、情報再生装置の表示部の開閉機構を示す簡略図
【図６】同、情報再生装置の蓋が閉じられた状態を示す断面図
【図７】同、情報再生装置の蓋が開放された状態を示す断面図
【図８】同、情報再生装置の蓋が閉じられる方向に移動する状態を示す断面図
【図９】同、情報再生装置の蓋を閉じ忘れた際の表示部４の閉成時における状態を示す断面図
【発明を実施するための形態】
【００１７】
以下、本発明の一実施形態を、添付図面を用いて説明する。
【００１８】
本実施の形態における情報再生装置１は、自動車のダッシュボード中央の開口部から情報再生装置１の後方を挿入し、その開口部から図１に示す表示部４を表出させている。
【００１９】
情報再生装置１は、図４に示すごとく、情報再生部（図示せず）を収納した箱型の本体ケース５と、この本体ケース５の前面下部において、その一辺側（上辺側）が前記本体ケース５の前面下部に所定間隔の隙間を介して近接する状態で、この本体ケース５の前面に対して、開閉駆動される四角形の表示部４とを備えている。
【００２０】
エスカッション３は、本体ケース５の前面に設けられ上下左右に壁面を有しており、図１に示すような正立姿勢にある表示部４を収容する。エスカッション３の左右の壁面は、後述するガイド溝が形成され、ガイド溝及びレバーの構成によって、表示部４を保持する。
【００２１】
なお、この表示部４の開閉機構はよく知られた機構であるので、簡単に説明する。
【００２２】
すなわち、図５のごとく、表示部４の上辺部分と、下辺部分に、軸６、７が設けられている。
【００２３】
そして、下辺の軸７はレバー８によって、前方に押し出され、また上辺の軸６は本体ケース５の前方に上下方向に設けたガイド溝８ａに案内されて下方向に移動するようになっている。
【００２４】
その結果、表示部４は図１に示す状態から、図５に示すように、表示部４が上方を向いた状態で、本体ケース５の前面に対して開放されるようになるのである。
【００２５】
また、レバー８を本体ケース５内方向に引き戻せば、軸６はエスカッション３に設けたガイド溝８ａに案内されて上方向に移動するようになっている。
【００２６】
その結果、表示部４は図５に示す状態から、図１に示すように、本体ケース５の前面に対して閉成されるようになるのである。
【００２７】
図２〜図４は、表示部４が上方を向いた状態で、本体ケース５の前面に対して開放された状態である。
【００２８】
先ず、図２に示すように、表示部４が本体ケース５の前面に対して開放された状態で、前記本体ケース５の前面側に表出する部分に、前後方向に開閉自在な蓋９を設けている。
【００２９】
この蓋９は、その開放時に、図４に示すように、前記本体ケース５の前面下部と表示部４間に形成される所定間隔の隙間１０を覆う板形状にしている。
【００３０】
また、この蓋９には、図６〜図９に示すように、下部に水平方向の開閉軸受１１を設け、この開閉軸受１１は、図４からも理解されるように、表示部４の閉成時における、この表示部４よりも奥側で、この表示部４の閉成時における軸７よりも上方の本体ケース５前面側に軸１２によって軸支されている。
【００３１】
そして、この開閉軸受１１と軸１２によって開閉自在に軸支した蓋９の上部背面側には、係合突起１３が設けられ、これが係合孔１４に着脱自在に係合するようになっている。
【００３２】
図２は蓋９の係合突起１３が係合孔１４に係合した閉成状態を示し、この状態においてこの蓋９には、この蓋９の閉成時に、例えばＳＤカードと言われる情報媒体１５が貫通挿
入される貫通孔１６を設けており、また、この図２のごとく、蓋９が閉成された状態で、前記貫通孔１６に対応する本体ケース５の前面部分には、前記情報媒体１５が挿入される図３に示す挿入口１７を設けている。
【００３３】
また、挿入口１７の外周方向（横方向）で、前記蓋９の閉成時に、この蓋９で覆われる本体ケースの前面部分には、図３のごとく、情報媒体１８、１９が挿入される挿入口２０、２１を設けている。
【００３４】
情報媒体１８はマイクロＳＤカードと言われるもので、情報媒体１５、１９よりも小さなものとなっている。
【００３５】
そのため、挿入口２０は、情報媒体１８の大きさにあわせて、挿入口１７、２１よりも開口面積を小さくしている。
【００３６】
なお、本体ケース５の前面側で、蓋９閉成時における、この蓋９の上方部分に、光ディスク挿入口２２を設けているので、光ディスク挿入口２２への光ディスクの挿入と取り出しは、蓋９の開閉状態に関らず、行うことができるようになっている。
【００３７】
本実施形態において、例えば情報媒体１５は、例えば音楽などが収納されたものであるので、図２のごとく、表示部４を開放し、これを貫通孔１６から挿入すれば、本体ケース５内の情報再生部によって音楽再生が行われる。
【００３８】
また、情報媒体１８は、例えばナビゲーションシステムに活用する地図情報が収納されたものであるが、これは例えば２週間ごとに更新するときに、着脱が行われるものである。
【００３９】
また、情報媒体１９はＴＶ再生のためのキーが収納されたもので、これは基本的には挿入口２１に挿入されたままとなる。
【００４０】
つまり、これらの情報媒体１８、１９は日常的に引き出しや、挿入が行われるものではないので、表面は蓋９によって覆われた状態となっている。
【００４１】
そして、必要に応じて引き出しや、挿入が行われるときには、図３、図４のごとく蓋９が開放されるのであるが、情報媒体１８は特に小さなものなので、それを指先で摘んで引き出す作業時や、挿入する作業時に、下方に落下させてしまうことがある。
【００４２】
しかしながら、本実施形態では、図４から理解されるように、前記本体ケース５の前面下部と表示部４間に形成される所定間隔の隙間１０を、この蓋９が、その開放状態において、覆う板形状となっている。
【００４３】
このため、落下した情報媒体１８は蓋９によって、表示部４の上方に受け止められた状態となり、その結果、その部分から情報媒体１８を指先で容易につまみあげることができ、極めて作業性の良いものとなるのである。
【００４４】
また、図４のごとく蓋９が開放した状態で、表示部４が閉成された場合には、表示部４の上辺が上方に移動する状態で、この蓋９は上方へと持ち上がれ、表示部４の閉成時には、蓋９は図９の状態まで移動される。
【００４５】
つまり、蓋９を閉じ忘れても、表示部４の閉成時に、損傷することがないようになっているのである。
【００４６】
また、本体ケース５と開閉軸受１１にはそれぞれ突起２３、２４が設けられており、図８に示す状態で突起２３、２４の頂点が重なり合って、開閉軸受１１と軸１２間のテンションが最大になる。そして、表示部４の閉成時には、図９の状態のように、突起２４が突起２３をのり越えて、蓋９は維持されるので、次回の表示部４の開放時動作を阻害したり、その時に蓋９が損傷したりすることもない。
【産業上の利用可能性】
【００４７】
以上のように本発明は、情報再生部を収納した本体ケースと、この本体ケースの前面下部において、その一辺側が前記本体ケースの前面下部に所定間隔の隙間を介して近接する状態で、この本体ケースの前面に対して、開閉駆動される表示部とを備え、前記表示部が開放された状態で、前記本体ケースの前面側に表出する部分に、前後方向に開閉自在な蓋を設け、この蓋は、その開放時に、前記本体ケースの前面下部と表示部間に形成される所定間隔の隙間を覆う形状にするとともに、この蓋には、この蓋の閉成時に、第１の情報媒体が貫通挿入される貫通孔を設け、この蓋が閉成された状態で、前記貫通孔に対応する本体ケースの前面部分には、前記第１の情報媒体が挿入される第１の挿入口を設け、この第１の挿入口の外周方向で、前記蓋の閉成時に、この蓋で覆われる本体ケースの前面部分には、第２の情報媒体が挿入される第２の挿入口を設け、前記第２の挿入口は、第１の挿入口よりも開口面積を小さくしたものであるので、使い勝手の良いものとなる。
【００４８】
すなわち、本発明では、小さな情報媒体である第２の情報媒体は挿入、引き抜き頻度が少ないものとして、通常状態では、蓋で覆った状態としているので、不用意にこれを第２の挿入口から引き抜くことはない。
【００４９】
また、この小さな第２の情報媒体を第２の挿入口から引き抜いたり、その後に第２の挿入口に挿入したりするときには、蓋が開放した状態となっているので、本体ケースの下部と、開放状態の表示部間の隙間部分は、この蓋で覆われた状態となっている。
【００５０】
このため、このような、第２の情報媒体を第２の挿入口から引き抜いたり、その後に第２の挿入口に挿入したりするときに、誤ってそれを落下させても、下方の蓋で受けられているので、ここから第２の情報媒体を容易に摘み上げることができ、極めて使い勝手の良いものとなるのである。
【００５１】
したがって、自動車に搭載される情報再生装置等としての活用が期待されるものとなる。
【符号の説明】
【００５２】
１  情報再生装置
３  エスカッション
４  表示部
５  本体ケース
６、７  軸
８  レバー
８ａ  ガイド溝
９  蓋
１０  隙間
１１  開閉軸受
１２  軸
１３  係合突起
１４  係合孔
１５、１８、１９  情報媒体
１６  貫通孔
１７、２０、２１  挿入口
２２  光ディスク挿入口
２３、２４  突起
【図１】
2014127616.tif 000003
【図２】
2014127616.tif 000004
【図３】
2014127616.tif 000005
【図４】
2014127616.tif 000006
【図５】
2014127616.tif 000007
【図６】
2014127616.tif 000008
【図７】
2014127616.tif 000009
【図８】
2014127616.tif 000010
【図９】
2014127616.tif 000011